(57)【要約】【課題】従来の多室形空気調和機においては、運転台数変化時に負荷変動に適応する所要時間が長いという課題を有していた。【解決手段】室外ファン回転数設定手段、圧縮機運転周波数設定手段、運転室内機合計容量の変化量を算出して増量を判定する運転室内機合計容量変化量検出手段、運転室内機合計容量の増量変化量により室外ファン回転数の補正値を算出して設定する室外ファン回転数補正手段、運転室内機合計容量変化時からの経過時間をカウントする時間カウント手段を備えた制御装置より構成され、暖房運転中に運転室内機合計容量が増量方向に負荷変動した時、室外ファン回転数を所定時間増量補正するもので、室内機の運転台数が変化した場合において、運転室内機合計変化容量に応じた室外ファンの回転数補正で、速やかに冷凍サイクルの変動を少なくし要求負荷に応じた冷凍サイクル制御を行うことができる。【選択図】図１
2007192422.tif 000002
【特許請求の範囲】
【請求項１】
圧縮機、室外熱交換器、室外ファン、室外膨張弁、冷房サイクルと暖房サイクルとを切換える四方弁、前記圧縮機を駆動するインバータとを備えた室外機と、室内熱交換器、室内ファン、室内膨張弁とを備えた複数台の室内機とを接続して冷房もしくは暖房サイクルを構成する多室形空気調和機において、
室外ファン回転数設定手段、圧縮機運転周波数設定手段、運転室内機合計容量の変化量を算出して増量を判定する運転室内機合計容量変化量検出手段、運転室内機合計容量の増量変化量により室外ファン回転数の補正値を算出して設定する室外ファン回転数補正手段、運転室内機合計容量変化時からの経過時間をカウントする時間カウント手段とからなる制御装置より構成され、暖房運転中に運転室内機合計容量が増量方向に負荷変動した時、室外ファン回転数を所定時間増量補正することを特徴とする多室形空気調和機。
【請求項２】
圧縮機、室外熱交換器、室外ファン、室外膨張弁、冷房サイクルと暖房サイクルとを切換える四方弁、前記圧縮機を駆動するインバータ回路とを備えた室外機と、室内熱交換器、室内ファン、室内膨張弁とを備えた複数台の室内機とを接続して冷房もしくは暖房サイクルを構成する多室形空気調和機において、
室外ファン回転数設定手段、圧縮機運転周波数設定手段、運転室内機合計容量の変化量を算出して増量を判定する運転室内機合計容量変化量検出手段、運転室内機合計容量の増量変化量により室外ファン回転数の補正値を算出して設定する室外ファン回転数補正手段、運転室内機熱交温度最小値検出手段、室外ファン回転数補正終了となる所定の室内熱交温度しきい値への到達有無を判定する室内機熱交温度しきい値判定手段より構成され、暖房運転中に運転室内機合計容量が増量方向に負荷変動した時、運転室内機熱交温度最小値が前記室内機熱交温度しきい値に到達するまで室外ファン回転数を増量補正することを特徴とする多室形空気調和機。
【請求項３】
圧縮機、室外熱交換器、室外ファン、室外膨張弁、冷房サイクルと暖房サイクルとを切換える四方弁、前記圧縮機を駆動するインバータ回路とを備えた室外機と、室内熱交換器、室内ファン、室内膨張弁とを備えた複数台の室内機とを接続して冷房もしくは暖房サイクルを構成する多室形空気調和機において、
室外ファン回転数設定手段、圧縮機運転周波数設定手段、運転室内機合計容量の変化量を算出して減量を判定する運転室内機合計容量変化量検出手段、運転室内機合計容量の減量変化量しきい値判定手段、室外ファン回転数停止手段、運転室内機合計容量変化時からの経過時間をカウントする時間カウント手段より構成され、暖房運転中に運転室内機合計容量が減量変化量しきい値以上負荷変動した時、室外ファン回転数を所定時間停止することを特徴とする多室形空気調和機。
【請求項４】
圧縮機、室外熱交換器、室外ファン、室外膨張弁、冷房サイクルと暖房サイクルとを切換える四方弁、前記圧縮機を駆動するインバータ回路とを備えた室外機と、室内熱交換器、室内ファン、室内膨張弁とを備えた複数台の室内機とを接続して冷房もしくは暖房サイクルを構成する多室形空気調和機において、
室外ファン回転数設定手段、圧縮機運転周波数設定手段、運転室内機合計容量の変化量を算出して減量を判定する運転室内機合計容量変化量検出手段、運転室内機合計容量の減量変化量により室外ファン回転数の補正値を算出して設定する室外ファン回転数補正手段、運転室内機熱交温度最大値検出手段、室外ファン回転数補正終了となる所定の室内熱交温度しきい値への到達有無を判定する室内機熱交温度しきい値判定手段より構成され、暖房運転中に運転室内機合計容量が減少方向に負荷変動した時、運転室内機熱交温度最大値が前記室内機熱交温度しきい値に到達するまで室外ファンを停止することを特徴とする多室形空気調和機。
【請求項５】
圧縮機、室外熱交換器、室外ファン、室外膨張弁、冷房サイクルと暖房サイクルとを切換える四方弁、前記圧縮機を駆動するインバータ回路とを備えた室外機と、室内熱交換器、室内ファン、室内膨張弁とを備えた複数台の室内機とを接続して冷房もしくは暖房サイクルを構成する多室形空気調和機において、
室外ファン回転数設定手段、圧縮機運転周波数設定手段、運転室内機合計容量の変化量を算出して増量を判定する運転室内機合計容量変化量検出手段、運転室内機合計容量の増量変化量しきい値判定手段、室外ファン最高回転数補正手段、運転室内機合計容量変化時からの時間をカウントする時間カウント手段より構成され、冷房運転中に運転室内機合計容量が増量変化量しきい値以上負荷変動した時、室外ファン回転数を所定時間最高回転数で運転することを特徴とする多室形空気調和機。
【発明の詳細な説明】
【技術分野】
【０００１】
本発明は、複数台の室内機を接続して冷凍サイクルを構成し、暖房又は冷房運転を行う多室形空気調和機に関するものである。
【背景技術】
【０００２】
従来、この種の多室形空気調和機は、室内機運転台数の増減に応じて圧縮機の運転周波数を徐々に変化させるといったものがあった（例えば、特許文献１参照）。
【０００３】
図６のフローチャートは、特許文献１に記載された従来の多室形空気調和機の制御方法を示すものである。図６に示すように、Ａ室の暖房運転時（Ｓ１０１）、Ｂ室室内機の運転信号を受信すると（Ｓ１０２）、Ｂ室室内ファンを作動させ（Ｓ１０３）、さらに圧縮機運転周波数を増加させる（Ｓ１０４）ことにより要求負荷に応じた圧縮機回転数に制御して冷媒循環量を増加する。また、運転信号受信時から経過時間Ｔ１をカウントしておき（Ｓ１０５，Ｓ１０６）、Ｔ１が所定時間に達するとＢ室室内機に対応する電動膨張弁２２ｂを開制御する（Ｓ１０７）と共に、電磁ポンプの周波数を上昇させ（Ｓ１０８）、バーナーモーターの回転数を増加させる（Ｓ１０９）ことにより冷媒加熱器の燃焼量を上昇させる。運転信号受信時からの経過時間Ｔ２をカウントして（Ｓ１１１）所定時間に達すると（Ｓ１１０のＹ）、圧縮機周波数を要求負荷に応じた値まで減少する（Ｓ１１２）。
【特許文献１】特許第３３８６７００号公報
【発明の開示】
【発明が解決しようとする課題】
【０００４】
しかしながら、前記従来の構成では、室内機の運転台数変化時に冷媒加熱手段の制御により負荷変動時の対応を行っていることから、冷媒加熱手段を搭載していない多室形空気調和機には適応できない。また、運転台数変化時に一旦徐々に圧縮機周波数を上げ冷媒加熱手段で給熱量を増加した後、要求負荷に見合った圧縮機周波数にしていることから負荷変動に適応する所要時間が長いという課題を有していた。
【０００５】
本発明は、前記従来の課題を解決するもので、室内機の運転台数が変化した場合においても、室外ファンの回転数補正で、冷凍サイクルの変動を少なくして要求負荷に応じた冷凍サイクル制御が可能な多室形空気調和機を提供することを目的とする。
【課題を解決するための手段】
【０００６】
前記従来の課題を解決するために、本発明の多室形空気調和機における第１の発明は、圧縮機、室外熱交換器、室外ファン、室外膨張弁、冷房サイクルと暖房サイクルとを切換える四方弁、圧縮機を駆動するインバータ回路とを備えた室外機と、室内熱交換器、室内ファン、室内膨張弁とを備えた複数台の室内機とを接続して冷房もしくは暖房サイクルを構成する多室形空気調和機において、室外ファン回転数設定手段、圧縮機運転周波数設定手段、運転室内機合計容量の変化量を算出して増量を判定する運転室内機合計容量変化量検出手段、運転室内機合計容量の増量変化量により室外ファン回転数の補正値を算出して設定する室外ファン回転数補正手段、運転室内機合計容量変化時からの経過時間をカウントする時間カウント手段を備えた制御装置より構成され、暖房運転中に運転室内機合計容量が増量方向に負荷変動した時、室外ファン回転数を所定時間増量補正することを特徴としたものである。
【０００７】
これによって、暖房運転中に運転室内機合計容量が増量方向に負荷変動した時、冷凍サイクルの凝縮器が増加したことに伴う凝縮温度低下を、運転室内機合計容量変化量に応じ
た室外ファン回転数に増量補正することで速やかに抑制し、凝縮温度低下に伴う暖房吹出し空気温度の低下を抑制して冷風感を防止することできる。
【０００８】
第２の発明は、多室形空気調和機において、室外ファン回転数設定手段、圧縮機運転周波数設定手段、運転室内機合計容量の変化量を算出して増量を判定する運転室内機合計容量変化量検出手段、運転室内機合計容量の増量変化量により室外ファン回転数の補正値を算出して設定する室外ファン回転数補正手段、運転室内機熱交温度最小値検出手段、室外ファン回転数補正終了となる所定の室内熱交温度しきい値への到達有無を判定する室内機熱交温度しきい値判定手段より構成され、暖房運転中に運転室内機合計容量が増量方向に負荷変動した時、運転室内機熱交温度最小値が前記室内機熱交温度しきい値に到達するまで室外ファン回転数を増量補正することを特徴とするものである。
【０００９】
これにより、暖房運転中に運転室内機合計容量が増量方向に負荷変動した時、冷凍サイクルの凝縮器が増加したことに伴う凝縮温度低下を、接続運転室内機中の室内熱交温度の最小値を検出し、熱交温度しきい値に到達するまで運転室内機合計容量変化量に応じた室外ファン回転数に補正することで速やかに抑制し、凝縮温度低下に伴う暖房吹出し空気温度の低下を抑制して冷風感を防止することができる。
【００１０】
第３の発明は、多室形空気調和機において、室外ファン回転数設定手段、圧縮機運転周波数設定手段、運転室内機合計容量の変化量を算出して増量を判定する運転室内機合計容量変化量検出手段、運転室内機合計容量の減量変化量しきい値判定手段、室外ファン回転数停止手段、運転室内機合計容量変化時からの経過時間をカウントする時間カウント手段より構成され、暖房運転中に運転室内機合計容量が減量変化量しきい値以上負荷変動した時、室外ファン回転数を所定時間停止することを特徴とするものである。
【００１１】
これにより、暖房運転中に運転室内機合計容量が減量方向に負荷変動した時、冷凍サイクルの凝縮器が減少したことに伴う凝縮温度異常上昇を、所定時間室外ファンを停止することで速やかに抑制し、圧縮機の凝縮温度上限規制値から裕度を持った運転をすることができ圧縮機の信頼性を向上することができる。
【００１２】
第４の発明は、多室形空気調和機において、室外ファン回転数設定手段、圧縮機運転周波数設定手段、運転室内機合計容量の変化量を算出して減量を判定する運転室内機合計容量変化量検出手段、運転室内機合計容量の減量変化量により室外ファン回転数の補正値を算出して設定する室外ファン回転数補正手段、運転室内機熱交温度最大値検出手段、室外ファン回転数補正終了となる所定の室内熱交温度しきい値への到達有無を判定する室内機熱交温度しきい値判定手段より構成され、暖房運転中に運転室内機合計容量が減少方向に負荷変動した時、運転室内機熱交温度最大値が前記室内機熱交温度しきい値に到達するまで室外ファンを停止することを特徴とするものである。
【００１３】
これにより、暖房運転中に運転室内機合計容量が減量方向に負荷変動した時、冷凍サイクルの凝縮器が減少したことに伴う凝縮温度異常上昇を、接続運転室内機中の室内熱交温度の最大値を検出し、熱交温度しきい値に到達するまで運転室内機合計容量変化量に応じた室外ファン回転数に補正することで速やかに抑制し、圧縮機の凝縮温度上限規制値から裕度を持った運転をすることができ圧縮機の信頼性を向上することができる。
【００１４】
第５の発明は、多室形空気調和機において、室外ファン回転数設定手段、圧縮機運転周波数設定手段、運転室内機合計容量の変化量を算出して増量を判定する運転室内機合計容量変化量検出手段、運転室内機合計容量の増量変化量しきい値判定手段、室外ファン最高回転数補正手段、運転室内機合計容量変化時からの時間をカウントする時間カウント手段より構成され、冷房運転中に運転室内機合計容量が増量変化量しきい値以上負荷変動した
時、室外ファン回転数を所定時間最高回転数で運転することを特徴とするものである。
【００１５】
これにより、冷房運転中に運転室内機合計容量が増量方向に増量変化量しきい値以上負荷変動した時、冷凍サイクルの蒸発器が増加したことに伴う蒸発温度及び凝縮温度の上昇を、室外ファンを所定時間最高回転数で運転することで速やかに抑制し、圧縮機の蒸発温度及び凝縮温度上限規制値から裕度を持った運転をすることができ圧縮機の信頼性を向上することができる。
【発明の効果】
【００１６】
本発明の多室形空気調和機は、室外ファンの回転数補正で、暖房運転中に運転室内機合計容量が増量方向に負荷変動した時に、凝縮温度の低下による吹出し空気温度低下を速やかに抑制するなど、運転室内機合計容量変化でユーザーに与える不快感を低減することができる。
【発明を実施するための最良の形態】
【００１７】
以下、本発明の実施の形態について、図面を参照しながら説明する。なお、この実施の形態によって本発明が限定されるものではない。
【００１８】
（実施の形態１）
図１は、本発明の実施の形態における空気調和装置の冷凍サイクル図である。図１において、室外機１には圧縮機２と、室外熱交換器３と、室外ファン４と、冷暖房切換用の四方弁５と、室外膨張弁６が設けられている。一方、室内機７は複数台が接続され、それぞれの室内機７には室内熱交換器８と、室内ファン９と、室内膨張弁１０が設けられている。
【００１９】
上記冷凍サイクルにおいて、冷房運転時は、圧縮機２から吐出された冷媒は四方弁５を介して室外熱交換器３へと流れ、室外ファン４により室外熱交換器３で室外空気と熱交換して凝縮液化し、冷媒配管を通って各室内機７に至り、運転中の室内機７において室内膨張弁１０が開度調整されて減圧された冷媒は室内熱交換器８で蒸発した後に、冷媒配管を通り四方弁５を介して再び圧縮機２に吸入される。暖房運転時は圧縮機２から吐出された冷媒は四方弁５を介して室内熱交換器８へと流れ、運転中の室内機７において室内膨張弁１０が全開となり、室内ファン９により室内熱交換器８で室内空気と熱交換して凝縮液化し、室外膨張弁６を通過することにより減圧された冷媒は室外熱交換器３で蒸発した後に、四方弁５を介して再び圧縮機２に吸入される。なお、冷房および暖房の運転停止中の室内機７において、室内膨張弁１０は全閉となっており、圧縮機２は必要能力に応じてインバータ１１により回転数制御される。
【００２０】
さらに、制御装置１２として、実施の形態１としては、運転モード判定手段１３、室外ファン回転数設定手段１４、圧縮機運転周波数設定手段１５、運転室内機合計容量の変化量を算出して増量を判定する運転室内機合計容量変化量検出手段１６、運転室内機合計容量の増量変化量により室外ファン回転数の補正値を算出して設定する室外ファン回転数補正手段１７、運転室内機合計容量変化時からの経過時間をカウントする時間カウント手段１８とを有する。なお、図１に示す制御手段において、実施の形態２〜５の構成については破線で囲って示している。
【００２１】
図２は実施の形態１における空気調和装置のフローチャート図である。図２により本発明の第２の実施の形態における多室形空気調和機の制御方法の動作、作用について説明する。
【００２２】
運転開始すれば（ＳＴＥＰ０）、運転モード判定手段１３で運転モードを判定し（ＳＴ
ＥＰ１）、運転モードが暖房運転であれば、室外ファン回転数設定手段１４で通常運転時としての室外ファン回転数を算出し、算出した回転数で室外ファンを運転する（ＳＴＥＰ２）。圧縮機周波数設定手段１５で運転室内機合計容量等により定まる圧縮機周波数を算出し、圧縮機を算出した周波数で運転する（ＳＴＥＰ３）。この運転中に室内運転容量が変化すれば運転室内機合計容量変化量検出手段１６で変化量を判定し（ＳＴＥＰ４）、その変化が増量への変化であれば（ＳＴＥＰ４のＹｅｓ）変化量を算出し（ＳＴＥＰ５）、室外ファン回転数補正手段１７で回転数補正値を運転室内機合計変化変化容量に応じて算出して（ＳＴＥＰ６）、ＳＴＥＰ２で算出した室外ファン回転数に補正を加えて運転し（ＳＴＥＰ７）、その運転時間ｔを時間カウント手段１８によりカウントして（ＳＴＥＰ８）、所定時間Ｔａが経過すれば通常の運転に戻る。
【００２３】
上記のことより、暖房運転中に運転室内機合計容量が増量方向に負荷変動した時、冷凍サイクルの凝縮器が増加したことに伴う凝縮温度低下を、運転室内機合計容量変化量に応じた室外ファン回転数に所定時間増量補正することで速やかに抑制し、凝縮温度低下に伴う暖房吹出し空気温度の低下を抑制して冷風感を防止することできる。
【００２４】
（実施の形態２）
図３は、本発明の第２の実施の形態における多室形空気調和機のフローチャートである。なお、制御装置１２の構成として、運転モード判定手段１３、室外ファン回転数設定手段１４、圧縮機運転周波数設定手段１５、運転室内機合計容量の変化量を算出して増量を判定する運転室内機合計容量変化量検出手段１６、運転室内機合計容量の増量変化量により室外ファン回転数の補正値を算出して設定する室外ファン回転数補正手段１７、運転室内機熱交温度最小値検出手段１９、室外ファン回転数補正終了となる所定の室内熱交温度しきい値への到達有無を判定する室内機熱交温度しきい値判定手段２０を有する。
【００２５】
図３により以下その動作、作用を説明する。運転開始すれば（ＳＴＥＰ０）、運転モード判定手段１３で運転モードを判定し（ＳＴＥＰ１）、運転モードが暖房運転であれば、室外ファン回転数設定手段１４で通常運転時としての室外ファン回転数を算出し、算出した回転数で室外ファンを運転する（ＳＴＥＰ２）。圧縮機運転周波数設定手段１５で運転室内機合計容量等により定まる圧縮機周波数を算出し、圧縮機を算出した周波数で運転する（ＳＴＥＰ３）。この運転中に室内運転容量が変化すれば運転室内機合計容量変化量検出手段１６で変化量を判定し（ＳＴＥＰ４）、その変化が増量への変化であれば（ＳＴＥＰ４のＹｅｓ）変化量を算出し（ＳＴＥＰ５）、室外ファン回転数補正手段１７で回転数補正値を運転室内機合計変化容量に応じて算出して（ＳＴＥＰ６）、ＳＴＥＰ２で算出した室外ファン回転数に補正を加え（ＳＴＥＰ７）、運転室内機熱交温度最小値検出手段１９で運転している全室内機の熱交温度の中で最も低い熱交温度Ｔｃを検出し（ＳＴＥＰ１８）、室内機熱交温度しきい値判定手段２０で室内機熱交温度しきい値Ｔｃｈ以上になるまで室外ファン回転数補正を行う（ＳＴＥＰ１９）。
【００２６】
上記のことより、暖房運転中に運転室内機合計容量が増量方向に負荷変動した時、冷凍サイクルの凝縮器が増加したことに伴う凝縮温度低下を、接続運転室内機中の室内熱交温度の最小値を検出し、熱交温度しきい値に到達するまで運転室内機合計容量変化量に応じた室外ファン回転数に補正することで速やかに抑制し、凝縮温度低下に伴う暖房吹出し空気温度の低下を抑制して冷風感を防止することできる。
【００２７】
（実施の形態３）
図４は、本発明の第３の実施の形態における多室形空気調和機のフローチャートである。なお、制御装置１２として、運転モード判定手段１３、室外ファン回転数設定手段１４、圧縮機運転周波数設定手段１５、運転室内機合計容量の変化量を算出して増量を判定する運転室内機合計容量変化量検出手段１６、運転室内機合計容量の減量変化量しきい値判
定手段２１、室外ファン回転数停止手段２２、運転室内機合計容量変化時からの経過時間をカウントする時間カウント手段１８を有する。
【００２８】
図４により以下その動作、作用を説明する。運転開始すれば（ＳＴＥＰ０）、運転モード判定手段１３で運転モードを判定し（ＳＴＥＰ１）、運転モードが暖房運転であれば、室外ファン回転数設定手段１４で通常運転時としての室外ファン回転数を算出し、算出した回転数で室外ファンを運転する（ＳＴＥＰ２）。圧縮機運転周波数設定手段１５で運転室内機合計容量等により定まる圧縮機周波数を算出し、圧縮機を算出した周波数で運転する（ＳＴＥＰ３）。この運転中に室内運転容量が変化すれば運転室内機合計容量変化量検出手段１６で変化量を判定し（ＳＴＥＰ３４）、その変化が減量への変化であれば（ＳＴＥＰ４のＹｅｓ）変化量を算出し（ＳＴＥＰ３５）、運転室内機合計容量の減量変化しきい値判定手段２１で変化量がしきい値以上であるかの判定を行い（ＳＴＥＰ３６）、減量変化しきい値以上の変化であれば（ＳＴＥＰ３６のＹｅｓ）、室外ファン回転数停止手段２２で室外ファンを停止し（ＳＴＥＰ３７）、その停止時間ｔを時間カウント手段１８によりカウントして（ＳＴＥＰ３８）、所定時間Ｔａが経過すれば通常運転にもどる。
【００２９】
上記のことより、暖房運転中に運転室内機合計容量が減量方向に所定以上負荷変動した時、冷凍サイクルの凝縮器が大きく減少したことを判断し急激な凝縮能力減少から生じる凝縮温度異常上昇を、所定時間室外ファンを停止することで速やかに抑制し、圧縮機の凝縮温度上限規制値から裕度を持った運転をすることができ圧縮機の信頼性を向上することができて負荷変動の過渡期を過ぎれば通常運転に戻ることができる。
【００３０】
（実施の形態４）
図５は、本発明の第４の実施の形態における多室形空気調和機のフローチャートである。なお、制御装置１２として、運転モード判定手段１３、室外ファン回転数設定手段１４、圧縮機運転周波数設定手段１５、運転室内機合計容量の変化量を算出して減量を判定する運転室内機合計容量変化量検出手段１６、運転室内機合計容量の減量変化量により室外ファン回転数の補正値を算出して設定する室外ファン回転数補正手段１７、運転室内機熱交温度最大値検出手段２３、室外ファン回転数補正終了となる所定の室内熱交温度しきい値への到達有無を判定する室内機熱交温度しきい値判定手段２０を有する。
【００３１】
図５により以下その動作、作用を説明する。運転開始すれば（ＳＴＥＰ０）、運転モード判定手段１３で運転モードを判定し（ＳＴＥＰ１）、運転モードが暖房運転であれば、室外ファン回転数設定手段１４で通常運転時としての室外ファン回転数を算出し、算出した回転数で室外ファンを運転する（ＳＴＥＰ２）。圧縮機運転周波数設定手段１５で運転室内機合計容量等により定まる圧縮機周波数を算出し、圧縮機を算出した周波数で運転する（ＳＴＥＰ３）。この運転中に室内運転容量が変化すれば運転室内機合計容量変化量検出手段１６で変化量を判定し（ＳＴＥＰ３４）、その変化が減量への変化であれば（ＳＴＥＰ３４のＹｅｓ）変化量を算出し（ＳＴＥＰ３５）、室外ファン回転数補正手段１７で回転数補正値を運転室内機合計変化容量に応じて算出して（ＳＴＥＰ４６）、ＳＴＥＰ２で算出した室外ファン回転数に補正を加え（ＳＴＥＰ４７）、運転室内機熱交温度最大値検出手段２３で運転している全室内機の熱交温度の中で最も高い熱交温度Ｔｃを検出し（ＳＴＥＰ４８）、室内機熱交温度しきい値判定手段２０で室内機熱交温度しきい値Ｔｃｌ以下になるまで室外ファン回転数補正を行い（ＳＴＥＰ４９）、熱交温度しきい値以下になれば通常運転にもどる。
【００３２】
上記のことより、暖房運転中に運転室内機合計容量が減量方向に負荷変動した時、冷凍サイクルの凝縮器が減少したことに伴う凝縮温度異常上昇を抑制し、凝縮器の減少量に応じた室外ファン回転数補正とすることが出来、接続運転室内機中の室内熱交温度の最大値を検出し、熱交温度しきい値に到達するまで運転室内機合計容量変化量に応じた室外ファ
ン回転数に補正することで抑制時間の判定が的確に行え、圧縮機の凝縮温度上限規制値から裕度を持った運転をすることができ圧縮機の信頼性を向上することができる。
【００３３】
（実施の形態５）
図６は、本発明の第５の実施の形態における多室形空気調和機のフローチャートである。なお、制御装置１２として、運転モード判定手段１３、室外ファン回転数設定手段１４、圧縮機運転周波数設定手段１５、運転室内機合計容量の変化量を算出して増量を判定する運転室内機合計容量変化量検出手段１６、運転室内機合計容量の増量変化量しきい値判定手段２４、室外ファン最高回転数補正手段２５、運転室内機合計容量変化時からの時間をカウントする時間カウント手段１８を有する。
【００３４】
図６により以下その動作、作用を説明する。運転開始すれば（ＳＴＥＰ０）、運転モード判定手段１３で運転モードを判定し（ＳＴＥＰ１）、運転モードが冷房運転であれば、室外ファン回転数設定手段１４で通常運転時としての室外ファン回転数を算出し、算出した回転数で室外ファンを運転する（ＳＴＥＰ２）。圧縮機運転周波数設定手段１５で運転室内機合計容量等により定まる圧縮機周波数を算出し、圧縮機を算出した周波数で運転する（ＳＴＥＰ３）。この運転中に室内運転容量が変化すれば運転室内機合計容量変化量検出手段１６で変化量を判定し（ＳＴＥＰ５４）、その変化が増量への変化であれば（ＳＴＥＰ５４のＹｅｓ）変化量を算出し（ＳＴＥＰ５）、運転室内機合計容量の増量変化しきい値判定手段２４で変化量がしきい値以上であるかの判定を行い（ＳＴＥＰ５６）、増量変化しきい値以上の変化であれば（ＳＴＥＰ５６のＹｅｓ）、室外ファン回転数最高回転数補正手段２５で室外ファンを最高回転数で運転し（ＳＴＥＰ５７）、その運転時間ｔを時間カウント手段１８によりカウントして（ＳＴＥＰ５８）、所定時間Ｔａが経過すれば通常運転にもどる。
【００３５】
上記のことより、冷房運転中に運転室内機合計容量が増量方向に増量変化量しきい値以上負荷変動した時、冷凍サイクルの蒸発器大きく増加したことを判断し急激な蒸発能力増加から生じる蒸発温度及び凝縮温度の上昇を、室外ファンを所定時間最高回転数で運転することで速やかに抑制し、圧縮機の蒸発温度及び凝縮温度上限規制値から裕度を持った運転をすることができ圧縮機の信頼性を向上することができる。
【産業上の利用可能性】
【００３６】
以上のように、本発明にかかる多室形空気調和機の制御方法は、運転室内機合計容量変化による負荷変動を室外ファン制御で冷凍サイクルを適正化しているので、蓄熱式多室形空気調和機、冷媒加熱式空気調和機等にも適用できる。
【図面の簡単な説明】
【００３７】
【図１】本発明の実施の形態における多室形空気調和機の冷凍サイクル図
【図２】本発明の実施の形態１における多室形空気調和機のフローチャート
【図３】本発明の実施の形態２における多室形空気調和機のフローチャート
【図４】本発明の実施の形態３における多室形空気調和機のフローチャート
【図５】本発明の実施の形態４における多室形空気調和機のフローチャート
【図６】本発明の実施の形態５における多室形空気調和機のフローチャート
【図７】従来の多室形空気調和機のフローチャート
【符号の説明】
【００３８】
１  室外機
２  圧縮機
３  室外熱交換器
４  室外ファン
５  四方弁
６  室外膨張弁
７  室内機
８  室内熱交換器
９  室内ファン
１０  室内膨張弁
１１  インバータ
１２  制御装置
１４  室外ファン回転数設定手段
１５  圧縮機運転周波数設定手段
１６  運転室内機合計容量変化量検出手段
１７  室外ファン回転数補正手段
１８  時間カウント手段
１９  運転室内機熱交温度最小値検出手段
２０  室内機熱交温度しきい値判定手段
２１  減量変化量しきい値判定手段
２２  室外ファン回転数停止手段
２３  運転室内機熱交温度最大値検出手段
２４  増量変化量しきい値判定手段
２５  室外ファン最高回転数補正手段
Ｔａ  所定時間
【図１】
2007192422.tif 000003
【図２】
2007192422.tif 000004
【図３】
2007192422.tif 000005
【図４】
2007192422.tif 000006
【図５】
2007192422.tif 000007
【図６】
2007192422.tif 000008
【図７】
2007192422.tif 000009